(57)【要約】【課題】  本発明は、２つの保持器を加締めた後、どの程度の加締め力が確保されているかを確認することができる適切な加締め力の測定方法を提供することを課題としている。【解決手段】  保持器ところとの組立て体の保持器加締め力の測定方法において、  前記組立て体の中心軸に対して略対称となる位置のポケット部にはころを未装着とし、ころ未装着のポケットに、軸方向両方向より治工具をそれぞれ嵌着して前記組立て体を挟持し、一方の治工具を固定し、他方の治工具を荷重計と連結して荷重をかけて、加締め力を測定することを特徴とする保持器ところの組立て体の保持器加締め力測定方法によって課題の解決を図る。【選択図】    図３
2006275935.tif 000002
【特許請求の範囲】
【請求項１】
軸方向に直角な環状平板部と前記環状平板部の内周に内周フランジおよび外周に外周フランジを有し、かつ、前記環状平板部に円周上放射線方向に所定数の開口部を等間隔にそれぞれ有する第１保持器と第２保持器とのそれぞれの前記内周フランジおよび前記外周フランジを互いに対応させて組み合わせ、その後に、第１保持器の内周フランジおよび外周フランジのうち少なくとも一方のフランジの端部を、第２保持器の対応するフランジへ加締めることによって、前記第１保持器と第２保持器とのそれぞれの開口部によって形成されるポケット部を備えたスラストころ軸受の保持器と、前記ポケット部に収容されたころとからなる保持器ところとの組立て体の保持器加締め力の測定方法において、
前記組立て体の中心軸に対して略対称となる位置のポケット部にはころを未装着とし、ころ未装着の前記ポケット部に、軸方向両方向より治工具をそれぞれ嵌着して前記組立て体を挟持し、一方の治工具を固定し、他方の治工具を荷重計と連結して回転トルクを負荷して、加締め力を測定することを特徴とする保持器ところとの組立て体の保持器加締め力測定方法。
【発明の詳細な説明】
【技術分野】
【０００１】
本発明は、自動車用自動変速機やコンプレッサーなどに用いられるころ軸受の保持器の加締め力測定方法に関する。
【背景技術】
【０００２】
従来、図４に示すような保持器ところとの組立体Ｈｚは、第１保持器１１ｚおよび第２保持器１２ｚをその中心軸Ｘ０−Ｘ０に沿った軸方向に嵌合して第１保持器１１ｚの内周フランジ１１３ｚの端部１１５ｚを第２保持器１２ｚの内周フランジ１２３ｚに加締めて一体化して固定して保持器１ｚとしている。しかし、使用中に振動や繰り返し負荷などを受けても、加締め部分の変形が起きて、加締め力が低下し、中心軸Ｘ０−Ｘ０の周りに相対的にわずかな移動を起こすことがないように防止策を講じる必要があった。
【０００３】
第１保持器１１ｚは中心軸Ｘ０−Ｘ０に対して軸方向に直角な第１環状平板部１１１ｚと、第１環状平板部１１１ｚの外周に外周フランジ１１２ｚと内周に内周フランジ１１３ｚを有しており、第１環状平板部１１１ｚには円周方向に所定数の第１開口部１１４ｚが形成されている。
【０００４】
第２保持器１２ｚも中心軸Ｘ０−Ｘ０に対して軸方向に直角な第２環状平板部１２１ｚと、第２環状平板部１２１ｚの外周に外周フランジ１２２ｚと内周に内周フランジ１２３ｚを有しており、第２環状平板部１２１ｚには円周方向に所定数の第２開口部１２４ｚが形成されている。第２開口部１２４ｚは円周方向のピッチを第１保持器１１ｚの第１開口部１１４ｚのピッチと合わせてあり、保持器１ｚとしたときに対向するような位置に形成されている。
【０００５】
第２保持器１２ｚの内周フランジ１２３ｚの内周面と第１保持器１１ｚの内周フランジ１１３ｚの外周面とは適切な嵌合が行われるような関係寸法に設定されている。また、第２保持器１２ｚの外周フランジ１２２ｚの外周面と第１保持器１１ｚの外周フランジ１１２ｚの内周面とも適切な嵌合が行われるような関係寸法に設定されている。
【０００６】
第１保持器１１ｚの外周フランジ１１２ｚと内周フランジ１１３ｚと第２保持器１２ｚとの外周フランジ１２２ｚと内周フランジ１２３ｚとを軸方向に互いに対向させて組み合わせて、第１保持器１１ｚの内周フランジ１１３ｚの端部１１５ｚを第２保持器１２ｚの内周フランジ１２３ｚに加締めて一体化して固定している。
【０００７】
その際、第１開口部１１４ｚと第２開口部１２４ｚとの円周方向の位置を合わせ、ポケット部Ｐｚを形成し、ポケット部Ｐｚにころ３ｚを収容して保持する。この結果、保持器ところとの組立て体Ｈｚとなる。
【０００８】
この組立て体Ｈｚは、加締め力が十分に発生していない場合、前述のように、使用中に中心軸Ｘ０−Ｘ０の周りにわずかな相対移動を起こす虞がある。
【０００９】
加締め部の変形によって生じる相対移動を防止する工夫として、例えば次の提案がある。（特許文献１を参照）
【特許文献１】特開２００３−２３２３６４号公報
【発明の開示】
【発明が解決しようとする課題】
【００１０】
特許文献１は、組み合わされる二つの保持器のうち加締める側の保持器の硬度を加締められる側の保持器の硬度よりも低くして、保持器組立て体として必要な変形強度を確保しようとするものである。
【００１１】
しかしながら、特許文献１には加締め後の加締め力がどの程度に確保されているかを確認することについては開示されていない。適切な加締め力が付与されているかを確認することは重要なことである。
【００１２】
本発明は、このような点に鑑みなされたもので、２つの保持器を加締めた後、どの程度の加締め力が確保されているかを確認することができる適切な加締め力の測定方法を提供することを目的としている。
【課題を解決するための手段】
【００１３】
上記の目的を達成するため、本発明は、
軸方向に直角な環状平板部と前記環状平板部の内周に内周フランジおよび外周に外周フランジを有し、かつ、前記環状平板部に円周上放射線方向に所定数の開口部を等間隔にそれぞれ有する第１保持器と第２保持器とのそれぞれの前記内周フランジおよび前記外周フランジを互いに対応させて組み合わせ、その後に、第１保持器の内周フランジおよび外周フランジのうち少なくとも一方のフランジの端部を、第２保持器の対応するフランジへ加締めることによって、前記第１保持器と第２保持器とのそれぞれの開口部によって形成されるポケット部を備えたスラストころ軸受の保持器と、前記ポケット部に収容されたころとからなる保持器ところとの組立て体の保持器加締め力の測定方法において、
前記組立て体の中心軸に対して略対称となる位置のポケット部にはころを未装着とし、ころ未装着の前記ポケット部に、軸方向両方向より治工具をそれぞれ嵌着して前記組立て体を挟持し、一方の治工具を固定し、他方の治工具を荷重計と連結して回転トルクを負荷して、加締め力を測定することを特徴とする保持器ところとの組立て体の保持器加締め力測定方法を提供する。
【発明の効果】
【００１４】
本発明によれば、２つの保持器を加締めた後、どの程度の加締め力が確保されているかを確認することができる適切な加締め力の測定方法を提供すること事が出来る。
【発明を実施するための最良の形態】
【００１５】
以下、本発明に係わる実施形態を図面を参照しつつ説明する。
【００１６】
（実施形態１）
図１、図２、図３（ａ）、（ｂ）を参照しながら本発明の実施形態１を説明する。
【００１７】
図１は本発明に係わる測定に供せられる保持器ところとの組立て体を示す。
【００１８】
図２は図１を矢印Ｕ１から見たもので、被測定品の正面図である。
【００１９】
図３（ａ）は本発明の測定方法を示す側面図である。
【００２０】
図３（ｂ）は本発明の測定方法を示す正面図である。
【００２１】
図１において、保持器ところとの組立て体Ｈは２つの保持器の組立て体１ところ３とからなっている。
【００２２】
保持器の組立体１は第１保持器１１と第２保持器１２とからなっている。
【００２３】
第１保持器１１は中心軸Ｘ１−Ｘ１（回転時の中心軸となる）に対して軸方向に直角な第１環状平板部１１１と、第１環状平板部１１１の外周に外周フランジ１１２と内周に内周フランジ１１３を有しており、第１環状平板部１１１には円周方向に所定数の第１開口部１１４が形成されている。外周フランジ１１２および内周フランジ１１３は第１環状平板部１１１に対し直角に同じ方向に折り曲げられ、それぞれに所定の幅寸法になっている。
【００２４】
第２保持器１２も中心軸Ｘ１−Ｘ１に対して軸方向に直角な第２環状平板部１２１と、第２環状平板部１２１の外周に外周フランジ１２２と内周に内周フランジ１２３を有しており、第２環状平板部１２１には円周方向に所定数の第２開口部１２４が形成されている。外周フランジ１２２および内周フランジ１２３は第２環状平板部１２１に対し直角に同じ方向に折り曲げられ、それぞれに所定の幅寸法になっている。
【００２５】
第２開口部１２４は円周方向のピッチを第１保持器１１の第１開口部１１４のピッチと合わせてあり、対向する位置になるように形成されている。
【００２６】
第２保持器１２の内周フランジ１２３の内周面半径方向寸法は第１保持器１１の内周フランジ１１３の外周面半径方向寸法より僅かに大きいが、適切な嵌合が行われるような関係寸法に設定されている。また、第２保持器１２の外周フランジ１２２の外周面半径方向寸法は第１保持器１１の外周フランジ１１２の内周面半径方向寸法よりも僅かに小さいが、適切な嵌合が行われるような関係寸法に設定されている。
【００２７】
第１保持器１１の外周フランジ１１２と内周フランジ１１３および第２保持器１２の外周フランジ１２２と内周フランジ１２３とを軸方向に向けて（中心軸Ｘ１-Ｘ１の方向）互いに対向させて組み合わせ嵌合し、第１保持器１１の内周フランジ１１３の端部１１５を円周方向数箇所または円周全体にわたって拡開することによって、端部１１５を径方向外方へ向けて塑性変形を生ぜしめ、端部１１５に対向する内周フランジ１２３の対向部１２６に押圧し、第１保持器１１と第２保持器１２とを一体化して互いの固定力を付与している。
【００２８】
このように、端部１１５を拡開して、塑性変形を生ぜしめ、内周フランジ１２３の対向部１２６に押圧し、第１保持器１１と第２保持器１２を一体化することを加締めと定義している。また、加締めによって生じる互いの固定力を加締め力と定義している。
【００２９】
その際、第１開口部１１４と第２開口部１２４との円周方向の位置を合わせ、ポケット部Ｐを形成し、ポケット部Ｐにころ３を収容して保持する。この結果、保持器ところとの組立て体Ｈとなる。
【００３０】
なお、この保持器ところとの組立て体Ｈは第１保持器１１の内周フランジ１１３の端部１１５を加締めているが、これに限定することなく、外周フランジ１１２を加締めてもよく、また、内周フランジ１１３と外周フランジ１１２の両方を加締めても後述する被測定品として供することができる。
【００３１】
図２は図１の矢印Ｕ１から見た正面図である。ただし、被測定品Ｈｔに供するために中心Ｏ１（中心軸Ｘ１-Ｘ１）に対して対象となる位置にあるポケット部Ｐｅ、Ｐｅのころ３を図１の保持器ところとの組立て体Ｈから取り除いて、未装着の状態にしてある。
【００３２】
図３（ａ）、（ｂ）は被測定品を加締め力測定装置Ａｐへ取付けた状態である。
【００３３】
図３（ａ）はレバー５と台座６との間に図２に説明している被測定品を取付け挟持した状態である。図３（ｂ）は図３（ａ）の矢印Ｖ１から見た正面図である。
【００３４】
加締め力測定装置Ａｐはレバー５と台座６からなっている。
【００３５】
レバー５は断面長方形の角棒状をなす治工具であり、長辺の片方の面に２箇所のレバー凸部５１，５１を有している（図３（ａ）のレバー５の下面）。レバー凸部５１，５１は被測定品Ｈｔの中心Ｏ１に対して、対称位置にあるポケット部Ｐｅ、Ｐｅに嵌着できるようにレバー５の長さ方向に離間した位置に設けてある。また、レバー５の先端部５５にはレバー５に回転トルクを与えるための荷重計の係止部５６が設けられている。
【００３６】
台座６は被測定品Ｈｔの中心Ｏ１に対して対称位置にあるポケット部Ｐｅ、Ｐｅに嵌着できるように台座凸部６１，６１を２箇所のポケット部Ｐｅ、Ｐｅの距離寸法に等しい寸法で設けてある治工具である（図３（ａ）の台座６の上面）。
【００３７】
図２に示すような対称の位置にあるポケット部Ｐｅ、Ｐｅのころ３を取り除いて未装着とした被測定品Ｈｔをレバー５と台座６とで挟持する。そのとき、ポケット部Ｐｅ、Ｐｅにレバー５の下面に設けられているレバー凸部５１，５１を嵌着する。同時に、台座６の上面に設けられてある台座凸部６１，６１にポケット部Ｐｅ、Ｐｅを嵌着する。その状態でレバー５の先端部５５にある荷重係止部５６に負荷をかけると第１保持器１１および第２保持器１２に円周方向の荷重（回転トルク）が加わり、円周方向の固定力、すなわち加締め力を測定することができる。被測定品Ｈｔの中心部Ｏ１から負荷位置までの距離をＬとし、荷重計による負荷荷重をＦとすると、回転トルクはＦＬとなる。
なお、台座６はボルト６３によって固定物に取付け固定してある。
【００３８】
なお、本実施形態で説明した被測定品Ｈｔのポケット部Ｐの数は１０個（図２参照）で偶数であるが、奇数でも実施できるのは勿論である。その場合は、略対称位置のころを２個取り除いて未装着にする等の方法が取られる。
【００３９】
また、本実施形態は、円筒ころを使用して、説明しているが、発明の要旨の範囲内で、針状ころを用いた組立体にも適用して実施できる。
【００４０】
なお、本発明は、保持器ところの加工工程において、加締め力確認の抜き取り検査に適用すると好適である。その場合、回転トルクの規格の設定値により、破壊検査にも非破壊検査にも適用できる。
【図面の簡単な説明】
【００４１】
【図１】図１は本発明に係わる測定に供せられる保持器ところとの組立て体を示す。
【図２】図２は図１を矢印Ｕ１から見たもので、被測定品の正面図である。
【図３】図３（ａ）は本発明の測定方法を示す側面図である。        図３（ｂ）は本発明の測定方法を示す正面図である。
【図４】従来の保持器ところとの組立て体を示す。
【符号の説明】
【００４２】
Ｈ：保持器ところ組立て体
Ｈｔ：被測定品
１：保持器
１１：第１保持器
１１１：第１環状平板部
１１２：外周フランジ
１１３：内周フランジ
１１４：第１開口部
１１５：端部
１２：第２保持器
１２１：第２環状平板部
１２２：外周フランジ
１２３：内周フランジ
１２４：第２開口部
３：ころ
Ｐ：ポケット部
Ｐｅ：ころ未装着のポケット部
Ａｐ：加締め力測定装置
５：レバー
５１：レバー凸部
５５：レバー先端部
６：台座
６１：台座凸部
Ｆ：荷重計の負荷荷重
Ｌ：負荷位置までの長さ
【図１】
2006275935.tif 000003
【図２】
2006275935.tif 000004
【図３】
2006275935.tif 000005
【図４】
2006275935.tif 000006